(57)【特許請求の範囲】
【請求項１】
長手方向に貫通する筒状中空部を備えるデッキ材を、このデッキ材が下方から支持される構造材に固定するデッキ材固定金具であって、
前記構造材の側面にねじ固定される固定部と、
この固定部から延設されるとともに、前記構造材に固定部が固定された状態でデッキ材の長手方向の壁面の下端部に沿うように配置される脚部と、
この脚部から延設されるとともに、前記構造材に固定部が固定された状態で前記筒状中空部内に入り込むとともに、前記筒状中空部の底壁を構造材上面との間で弾性挟持する弾性挟持部と、
を備えていることを特徴とするデッキ材固定金具。
【請求項２】
弾性挟持部が、底壁を弾性挟持する挟持部本体と、挟持部本体の幅方向両側から立ち上がり、筒状中空部の側壁に当接するデッキ材横ズレ防止部とを備えている請求項１に記載のデッキ材固定金具。
【発明の詳細な説明】
【技術分野】
【０００１】
本発明は、デッキ材固定金具に関する。
【背景技術】
【０００２】
デッキ材の構造材への固定方法として、図１０に示すような方法が、既に提案されている（特許文献１参照）。
この固定方法は、図１０に示すように、長手方向に貫通する筒状中空部３２０を複数備えるとともに、長手方向に連続する凹溝３１０が側面に設けられているデッキ材３００を、デッキ材３００を下方から支持する構造材としての根太２００上に所定の目地幅で並べた状態に配置するとともに、図１１に示すデッキ材固定金具１００の固定部１１０をデッキ材３００とデッキ材３００との間で根太２００にビス２１０を用いて固定し、デッキ材固定金具１００の弾性挟持部１３０と、根太２００との間で凹溝３１０の下側（根太２００側）壁である被挟持部３１１を挟み込んでデッキ材３００をズレ動かないように固定するようにしている。
【０００３】
この固定方法は、デッキ材３００の上面から釘を根太２００に打ち込むまたはビスをねじ込んで固定する方式に比べ、見栄えよく施工できる。
また、被挟持部３１１を弾性挟持しているだけであるので、大きな力を加えると、デッキ材３００を根太２００の上面に沿ってスライドさせることができる。したがって、デッキ材３００を直接根太２００に固定した場合のように、デッキ材３００が気温の変化や吸水・乾燥などが原因でデッキ材３００が伸縮しようとして、固定箇所に大きなひずみが生じてデッキ材３００の一部に割れが生じたり、デッキ材３００の一部が変形して盛り上がったりするといった問題がない。
【先行技術文献】
【特許文献】
【０００４】
【特許文献１】特開２００４−０２７７２４号公報
【発明の概要】
【発明が解決しようとする課題】
【０００５】
ところで、デッキ材３００は、長手方向の両端を根太２００に挟着固定した方が、デッキ材３００のばたつきなどがないが、根太２００がデッキ材３００の長手方向の端縁に沿って配置されている場合、デッキ材固定金具１００を根太２００の幅方向の中央部にビス２１０で固定した場合、デッキ材固定金具１００の一部がデッキ材３００の長手方向の端縁からはみ出てしまい、見栄えがわるいとともに、デッキ材の端面に沿って壁などが設けられる場合には使用できない。
【０００６】
そこで、デッキ材固定金具１００がデッキ材３００の長手方向からはみ出ないようにデッキ材３００の他端方向に少しずらしてデッキ材固定金具１００をビス２１０で固定すればよいのであるが、根太２００の幅によってはデッキ材固定金具１００のビス孔１１１が根太２００からはみ出てまったく固定することができない場合がある。
また、ビス孔１１１が根太２００の上面に臨む位置にあっても、根太２００の幅方向の端縁近傍にビス２１０をねじ込むことになるので、根太２００が木材である場合、根太２００に割れが生じ、実質的に固定できないおそれがある。
【０００７】
一方、複数のデッキ材３００が敷設された床の周囲を幕板によって囲うようにしたデッキ床構造であれば、幕板に固定された幕板用金具によってばたつきを抑えることができるので問題はないが、幕板を必ず設置するとは限らない。
そこで、現在では床板端部の押え部の辺りに斜めにビスをデッキ材３００の端部に打ち込むか、上記に示した金具を半分に切断して固定を行っている。しかし、デッキ材３００の端部にビスを打ち込む方法ではビスを斜めに打ち込むので、デッキ材３００を固定するための根太２００まで届かない場合や、浅く打ち込まれるために固定する力が弱い、外観が悪くなる等の問題が起こっている。また、デッキ材固定金具１００を半分に切断して使用する場合、デッキ材固定金具１００が、高い弾性復元力を得るとともに、しっかりとした固定力を得るために強度の高い材料で形成されているので、上記のように半分に切断する作業は、危険が伴うなどの課題がある。
また、施工現場によっては、ベランダ床等は、デッキ材３００の幅（短手方向の寸法）の整数倍になっていないことがある。
【０００８】
このような場合、端部に配置される複数種の端部デッキ材を別途成形しておくことが考えられるが、コスト的に問題があり、通常、同じ幅のデッキ材の短手方向の一端部を短手方向の端縁に平行に切断して端部デッキ材として用いるようにしている。
しかし、上記のように切断によって得られた端部デッキ材の場合、短手方向の一方には上記被挟持部３１１が存在しなくなる。
したがって、上記端部デッキ材は、上記のようにデッキ材固定金具１００を半分に切断しての使用が全くできないため、従来、ビスによる固定方法が行われており、上記のビスによる固定方法の問題点を備えている。
【０００９】
本発明は、上記事情に鑑みて、従来のデッキ材固定金具の弾性挟持部の被挟持部がないデッキ材においても、デッキ材や構造材を破損することなく、デッキ材を構造材上に固定することができるデッキ材固定金具を提供することを目的としている。
【課題を解決するための手段】
【００１０】
上記目的を達成するために、本発明の請求項１に記載のデッキ材固定金具（以下、「本発明１のデッキ材固定金具」と記す）は、長手方向に貫通する筒状中空部を備えるデッキ材を、このデッキ材が下方から支持される構造材に固定するデッキ材固定金具であって、
前記構造材の側面にねじ固定される固定部と、この固定部から延設されるとともに、前記構造材に固定部が固定された状態でデッキ材の長手方向の壁面の下端部に沿うように配置される脚部と、この脚部から延設されるとともに、前記構造材に固定部が固定された状態で前記筒状中空部内に入り込むとともに、前記筒状中空部の底壁を構造材上面との間で弾性挟持する弾性挟持部と、を備えていることを特徴としている。
【００１１】
上記本発明１のデッキ材固定金具は、弾性挟持部が、底壁を弾性挟持する挟持部本体と、挟持部本体の幅方向両側から立ち上がり、筒状中空部の側壁に当接するデッキ材横ズレ防止部とを備えている構成としても構わない。
【００１４】
本発明において、デッキ材固定金具の材質としては、デッキ材を安定して固定できる材質であれば、特に限定されないが、ステンレス鋼、亜鉛めっき鋼等が挙げられる。
本発明において、固定部の構造材への固定は、固定部にビス孔を設け、このビス孔を介してビスを構造材にねじ込む方法が一般的であるが、釘で固定しても構わない。また、ビス孔は、１つでもよいが、固定部が回転しないように複数設けることが好ましい。
【００１５】
本発明において、デッキ材としては、特に限定されないが、ポリエチレン、ポリプロピレン、ポリエステル、ポリカーボネート、ナイロンおよびポリ塩化ビニル等の熱可塑性樹脂と木粉やフライアッシュなどの充填材との混合樹脂組成物を押出成形して得た合成木材状のものが好適である。
【００１６】
本発明において、固定部が固定される構造材は、デッキ材を下側から支持できるものであれば特に限定されないが、根太や大引きが挙げられる。
上記構造材の材質は、アルミニウムなどの軽量金属、木材、合成木材などが挙げられる。
【発明の効果】
【００１７】
本発明１のデッキ材固定金具は、長手方向に貫通する筒状中空部を備えるデッキ材を、このデッキ材が下方から支持される構造材に固定するデッキ材固定金具であって、
前記構造材の側面にねじ固定される固定部と、この固定部から延設されるとともに、前記構造材に固定部が固定された状態でデッキ材の長手方向の壁面の下端部に沿うように配置される脚部と、この脚部から延設されるとともに、前記構造材に固定部が固定された状態で前記筒状中空部内に入り込むとともに、前記筒状中空部の底壁を構造材上面との間で弾性挟持する弾性挟持部と、を備えているので、筒状中空部を備えていれば、デッキ材を切断して形成された端部デッキ材を、構造材を破損することなく、簡単に構造材に固定できる。
また、筒状中空部を利用して通常のデッキ材も同様にして構造材を破損することなく、簡単に構造材に固定できる。
【００１８】
また、本発明１のデッキ材固定金具を、弾性挟持部が、底壁を弾性挟持する挟持部本体と、挟持部本体の幅方向両側から立ち上がり、筒状中空部の側壁に当接するデッキ材横ズレ防止部とを備えている構成とすれば、デッキ材の横方向（幅方向）の位置ズレを防止してよりしっかりとした固定を図ることができる。
【図面の簡単な説明】
【００２１】
【図１】本発明１のデッキ材固定金具の第１の実施の形態をあらわす斜視図である。
【図２】図１のデッキ材固定金具を別の角度から見た斜視図である。
【図３】図１のデッキ材固定金具を用いたデッキ材の根太への固定状態をデッキ材の長手方向の一方から見た図である。
【図４】本発明１のデッキ材固定金具の第２の実施の形態をあらわす斜視図である。
【図５】図４のデッキ材固定金具を用いたデッキ材の根太への固定状態をデッキ材の長手方向の一方から見た図である。
【図６】他のデッキ材固定金具の第１の実施の形態をあらわす斜視図である。
【図７】図６のデッキ材固定金具を用いたデッキ材の根太への固定状態をデッキ材の長手方向の一方から見た図である。
【図８】他のデッキ材固定金具の第２の実施の形態をあらわす斜視図である。
【図９】図８のデッキ材固定金具を用いたデッキ材の根太への固定状態をデッキ材の長手方向の一方から見た図である。
【図１０】公知のデッキ材固定金具を用いたデッキ材の根太への固定状態をデッキ材の長手方向の一方から見た図である。
【図１１】図１０のデッキ材固定金具の斜視図である。
【発明を実施するための形態】
【００２２】
以下に、本発明を、その実施の形態をあらわす図面を参照しつつ詳しく説明する。
図１及び図２は、本発明１のデッキ材固定金具の第１の実施の形態をあらわしている。
【００２３】
図１及び図２に示すように、このデッキ材固定金具Ａは、例えば、ステンレス鋼板を打ち抜いて折り曲げ加工した複数のパーツを溶接する方法あるいはプレス成形することによって形成されていて、固定部１aと、脚部２aと、弾性挟持部３aとを備えている。
固定部１aは、固定状態で水平方向に長い長方形をしていて、２つのビス孔１１が穿設されている。
【００２４】
脚部２aは、固定部１aの長手方向の端部から固定部１aの長手方向寸法の略半分の幅で固定部１a上に立ち上がるように設けられている。
脚部２ａの高さは、固定部１aが構造材としての根太２００に固定された状態で、後述する弾性挟持部３ａが筒状中空部３２０の底壁３４０を根太２００との間で弾性挟持できる高さに設定されている。
【００２５】
弾性挟持部３ａは、挟持部本体３１と、補強リブ３２とを備えている。
挟持部本体３１は、脚部２ａの上縁から脚部２ａと同じ幅で脚部２ａに直交して設けられている。
【００２６】
補強リブ３２は、挟持部本体３１の一方の長手縁から上方に鋭角的に折れ曲がるように設けられていて、挟持部本体３１の挟持力を補強している。
【００２７】
つぎに、図３を用いて、このデッキ材固定金具Ａを用いた端部デッキ材３００ａの固定方法の１例を説明する。
【００２８】
（１）図３に示すように、まず、施工現場の端部デッキ材施工幅に合わせて、熱可塑性樹脂と木粉やフライアッシュなどの充填材との混合樹脂組成物を押出成形して得た通常のデッキ材３００を短手方向の端縁に平行に短手方向の一端部を切除して得る。
なお、デッキ材３００は、複数（この実施形態では３つ以上）の筒状中空部３２０を平行に長手方向の連続して有し、短手方向両側（図３では片側しかあらわれていない）に図１１に示すデッキ材固定金具Ａの弾性挟持部３ａによって根太２００との間で挟持される被挟持部３１１を備えている。
したがって、端部デッキ材３００ａは、片側にしか被挟持部３１１を備えていない。
（２）端部デッキ材３００ａの敷設側と反対側から配置される通常のデッキ材３００を根太２００上に、端部デッキ材３００ａの敷設位置に隣接する位置まで敷き並べるとともに、各デッキ材３００とデッキ材３００のデッキ材固定金具１００を用いてデッキ材３００を根太２００に固定していく。
（３）通常のデッキ材３００を敷設が完了すると、端部デッキ材３００ａに残った被挟持部３１１側を、隣接するデッキ材３００側に向けて根太２００（なお、根太２００は、デッキ材３００及び端部デッキ材３００ａの長手方向に直交するように複数本平行に設けられていて、図示していないが、この根太２００に直交するように設けられた大引きによって下方から支持されている）上に敷くとともに、端部デッキ材３００ａに残った被挟持部３１１側をデッキ材固定金具１００によって固定する。
（４）デッキ材弾性挟持部３ａを最も切断端側の筒状中空部３２０内に臨ませるとともに、挟持部本体３１が根太２００との間で筒状中空部３２０の底壁３４０を挟持するようにデッキ材固定金具Ａを配置し、固定部１ａを、ビス２２０を介してデッキ材３００の長手方向に直交し、デッキ材３００の長手方向の端部に配置される根太２００の側面２０１に固定する。
また、このとき、脚部２ａと端部デッキ材３００ａとの間には、夏場などにデッキ材３００が環境温度や直射日光によって伸長した場合でも、端部デッキ材３００ａの端面が脚部２ａに突き当たらないように隙間を設けるようにすることが好ましい。隙間は、例えば、固定部１ａと根太２００の側面２０１との間にスペーサを挟み込むなどして形成することができる。
【００２９】
このデッキ材固定金具Ａは、上記のように、弾性挟持部３ａと根太２００との間で筒状中空部３２０の底壁３４０を弾性挟持できるようにしたので、通常のデッキ材３００を切断することによって被挟持部３１１がなくなった端部デッキ材３００ａを用いた場合にも端部デッキ材３００ａをばたつかないように固定することができる。
したがって、ビスや釘を斜めに打ち込んで固定する場合のように、端部デッキ材３００ａや根太２００に破損が生じるといった事故を防止できる。
また、デッキ材固定金具Ａは、筒状中空部３２０を利用するようになっているので、通常のデッキ材３００の根太２００への固定にも使用できる。
なお、上記（１）〜（４）の工程は、１例であって、必要に応じて順序を入れ替えてもよい。
【００３０】
図４は、本発明１のデッキ材固定金具の第２の実施の形態をあらわしている。
図４に示すように、このデッキ材固定金具Ｂは、固定部１ｂ、脚部２ｂ及び弾性挟持部３ｂの挟持部本体３３が、筒状中空部３２０の隔壁３３０間の長さと略同じか少し狭い幅になっている。
【００３１】
また、弾性挟持部３ｂは、挟持部本体４の幅方向の両側から脚部２ｂと反対側に挟持部本体４に直交する横ズレ防止部３４を備えている。
そして、このデッキ材固定金具Ｂは、上記以外の構成は、上記デッキ材固定金具Ａと同様になっている。
【００３２】
図６は、他のデッキ材固定金具の第１の実施の形態をあらわしている。
図６に示すように、このデッキ材固定金具Ｃは、固定部１ｃと、脚部２ｃと、弾性係止部３ｃとを備えている。
【００３３】
図６は、本発明２のデッキ材固定金具の第１の実施の形態をあらわしている。
図６に示すように、このデッキ材固定金具Ｃは、固定部１ｃと、脚部２ｃと、弾性係止部３ｃとを備えている。
【００３４】
固定部１ｃは、上記デッキ材固定金具Ａの固定部１ａと同様になっている。
脚部２ｃは、固定部１ｃに直交するとともに、その下端の一端部が固定部１ｃの長手方向一端の上端に一体化されている。
脚部２ｃは、その高さ（固定部１ｃの上端から後述する弾性係止部３ｃのデッキ材当接面までの長さ）がデッキ材３００及び端部デッキ材３００ａの厚みと略同じになっている。
弾性係止部３ｃは、脚部２ｃに直交するように、脚部２ｃの上端から固定部１ｃの長手方向他端側に延出している。
【００３５】
つぎに、図７を用いて、このデッキ材固定金具Ｃを用いた端部デッキ材３００ａの固定方法の１例を説明する。
（１）図７に示すように、上記デッキ材固定金具Ａを用いた場合と同様にして通常のデッキ材３００を敷設する。
（２）端部デッキ材３００ａに残った被挟持部３１１側を、隣接するデッキ材３００側に向けて根太２００上に敷くとともに、端部デッキ材３００ａに残った被挟持部３１１側をデッキ材固定金具１００によって固定する。
（３）脚部２ｃを端部デッキ材３００ａの切断端面に略当接させるとともに、弾性係止部３ｃを端部デッキ材３００ａの上面に当接させた状態で固定部１ｃを根太２００の側面２０１にビス２２０を用いて固定する。
すなわち、この状態で端部デッキ材３００ａの切断端側の端部が弾性係止部３ｃと根太２００との間で挟持され、端部デッキ材３００ａがばたつかないように固定される。
【００３６】
図８は、他のデッキ材固定金具の第２の実施の形態をあらわしている。
図８に示すように、このデッキ材固定金具Ｄは、固定部１ｄと、立ち上がり部２ｄと、２つの弾性挟持部３ｄとを備えている。
【００３７】
図８は、本発明３の第１の実施の形態をあらわしている。
図８に示すように、このデッキ材固定金具Ｄは、固定部１ｄと、立ち上がり部２ｄと、２つの弾性挟持部３ｄとを備えている。
【００３８】
固定部１ｄは、上記デッキ材固定金具Ａの固定部１ａと同様にビスなっている。
立ち上がり部２ｄは、固定部１ｄが後述するように根太２００に固定された状態で、固定部１ｄの上方に延出している。
【００３９】
２つの弾性挟持部８は、固定部６が後述するように根太２００に固定された状態で、立ち上がり部７の水平方向の両側縁から固定部１ｄに直交する方向に延出している。
また、２つの弾性挟持部３ｄは、その対向面３５と対向面３５との間隔がデッキ材３００及び端部デッキ材３００ａの筒状中空部３２０と筒状中空部３２０との隔壁３３０の厚みと略同じか少し狭くなっている。
【００４０】
つぎに、図９を用いて、このデッキ材固定金具Ｄを用いた端部デッキ材３００ａの固定方法の１例を説明する。
（１）図９に示すように、上記デッキ材固定金具Ａを用いた場合と同様にして通常のデッキ材３００を敷設する。
（２）端部デッキ材３００ａに残った被挟持部３１１側を、隣接するデッキ材３００側に向けて根太２００上に敷くとともに、端部デッキ材３００ａに残った被挟持部３１１側をデッキ材固定金具１００によって固定する。
（３）最も端部デッキ材３００ａの切断端側の隔壁３３０を２つの弾性挟持部３ｄの間に嵌り込むとともに、立ち上がり部２ｄが端部デッキ材３００ａの端面にほぼ接するようにデッキ材固定金具Ｄを装着した状態で固定部１ｄを根太２００の側面２０１にビス２２０を用いて固定する。
すなわち、この状態で端部デッキ材３００ａの切断端側の端部がばたつかないように固定される。
【００４１】
このデッキ材固定金具Ｄは、上記のようになっているので、通常のデッキ材３００を切断することによって被挟持部３１１がなくなった端部デッキ材３００ａを用いた場合にも端部デッキ材３００ａをばたつかないように固定することができる。
また、このデッキ材固定金具Ｂは、隔壁３３０を利用してデッキ材３００の固定にも使用できる。
なお、このデッキ材固定金具Ｄは、隔壁３３０が２つの弾性挟持部３ｄの間に嵌り込みやすくするために、対向面３５の先端側の上下方向のコーナー部をＲ状に面取りすることが好ましい。
【００４２】
なお、本発明のデッキ材固定金具は、上記の実施の形態に限定されない。
【符号の説明】
【００４３】
Ａ，Ｂ，Ｃ，Ｄ  デッキ材固定金具
１ａ，１ｂ，１ｃ，１ｄ  固定部
２ａ，２ｂ，２ｃ  脚部
２ｄ  立ち上がり部
３ａ，３ｂ，３ｄ  弾性挟持部
３ｃ  弾性係止部
３１  挟持部本体
３２  補強リブ
３３  挟持部本体
３４  横ズレ防止部
３５  対向面
２００  根太（構造材）
２２０  ビス
３００  デッキ材（通常のデッキ材）
３００ａ  端部デッキ材
３２０  筒状中空部
３３０  隔壁
３４０  底壁
【図１】
0005704954.tif 000002
【図２】
0005704954.tif 000003
【図３】
0005704954.tif 000004
【図４】
0005704954.tif 000005
【図５】
0005704954.tif 000006
【図６】
0005704954.tif 000007
【図７】
0005704954.tif 000008
【図８】
0005704954.tif 000009
【図９】
0005704954.tif 000010
【図１０】
0005704954.tif 000011
【図１１】
0005704954.tif 000012